(57)【要約】【課題】  本発明は着脱可能にカメラ（31）及びイルミネーター（32）のある携帯形イメージング機器（3）に接続される携帯形イメージングモジュールを開示する。【解決手段】  レンズ（1）及びレンズ本体（2）を含み、前記レンズ（1）が少なくとも部分的に前記レンズ本体（2）の取付穴（21）に取り付けられ、前記レンズ（1）がレンズ（11）及びレンズパッケージ（12）を含み、前記レンズ（1）が対面で携帯形イメージング機器（3）のカメラ（31）に取り付けられ、前記レンズ本体（2）が透明又は半透明の固体材料製であり、その端部構造に反射端（22）があり、この反射端（22）が前記携帯形イメージング機器（3）の取付面に投影した投影ゾーンが少なくとも部分的に前記イルミネーター（32）を覆う。構成のデザインの最適化により、イメージングモジュールはコンパクト、軽量、便利、使いやすくなり、イメージングの品質が高く、倍率が大きくなる。【選択図】図４
2021530750.tif 000002
【特許請求の範囲】
【請求項１】
着脱可能にカメラ（31）及びイルミネーター（32）のある携帯形イメージング機器（3）に接続される携帯形イメージングモジュールであって、
レンズ（1）及びレンズ本体（2）を含み、前記レンズ（1）が少なくとも部分的に前記レンズ本体（2）の取付穴（21）に取り付けられ、
前記レンズ（1）がレンズ（11）及びレンズパッケージ（12）を含み、前記レンズ（1）が対面で前記携帯形イメージング機器（3）のカメラ（31）に取り付けられ、
前記レンズ本体（2）が透明又は半透明の固体材料製であり、その端部構造に反射端（22）があり、この反射端（22）が前記携帯形イメージング機器（3）の取付面に投影した投影ゾーンが少なくとも部分的に前記イルミネーター（32）を覆う
ことを特徴とする携帯形イメージングモジュール。
【請求項２】
前記反射端（22）の構造が取付面と傾斜する傾斜面又は曲面であることを特徴とする請求項１に記載の携帯形イメージングモジュール。
【請求項３】
前記反射端（22）が前記携帯形イメージング機器（3）の取付面に投影した投影ゾーンが縦のバーの形状であることを特徴とする請求項１〜２のいずれかに記載の携帯形イメージングモジュール。
【請求項４】
前記反射端（22）が前記携帯形イメージング機器（3）の取付面に投影した投影ゾーンが傾斜したバーの形状であることを特徴とする請求項１〜２のいずれかに記載の携帯形イメージングモジュール。
【請求項５】
前記レンズ本体（2）の両端にそれぞれ前記反射端（22）があり、前記反射端（22）の2箇所が前記レンズ（1）の両側にあり、前記レンズ（1）までの距離が違うことを特徴とする請求項４に記載の携帯形イメージングモジュール。
【請求項６】
反射端（22）の2箇所が前記携帯形イメージング機器（3）の取付面に投影した傾斜したバーの形状の投影ゾーンの2箇所が全体で八字を呈することを特徴とする請求項５に記載の携帯形イメージングモジュール。 
【請求項７】
前記反射端（22）が前記携帯形イメージング機器（3）の取付面に投影した投影ゾーンが曲がったバーであることを特徴とする請求項１〜２のいずれかに記載の携帯形イメージングモジュール。
【請求項８】
前記反射端（22）が前記携帯形イメージング機器（3）の取付面に投影した投影ゾーンが水平のバーであり、その延長線が前記レンズ（1）を経ることを特徴とする請求項１〜２のいずれかに記載の携帯形イメージングモジュール。
【請求項９】
前記レンズ本体（2）は伸縮できる2つの部分を含み、前記レンズ（1）及び前記反射端（22）がそれぞれ前記2つの部分にあることを特徴とする請求項１〜２のいずれかに記載の携帯形イメージングモジュール。
【請求項１０】
前記レンズ本体（2）は少なくとも前記反射端（22）を含むゾーンに強化鏡面反射層又は強化拡散反射層があり、他のゾーンの少なくとも部分に強化鏡面反射層又は強化拡散反射層があることを特徴とする請求項１〜２のいずれかに記載の携帯形イメージングモジュール。
【発明の詳細な説明】
【技術分野】
【０００１】
本発明はイメージング分野、具体的に、携帯形イメージングモジュール関わる。
【背景技術】
【０００２】
外部レンズを搭載した携帯電話又は他の携帯機器はカメラにイメージング機能があり、便利に部品検査、医学検出、宝石検出及び鉱物検出などの分野に利用できるが、従来の外部レンズに下記の欠陥がある。
【０００３】
1.普通、従来の携帯電話外部レンズはシングルレンズを搭載し、レンズの開口数が非常に有限（NA<0.1）であり、イメージングの品質が劣り、特に視野における軸外点イメージングの品質が回折限界よりはるかに悪く、そして、大きな色差がある。
【０００４】
2.普通、従来の携帯電話外部レンズは倍率が小さく、比較的マクロなサンプルを観察する場合に有効であるが、微視的サンプル（例えば、10μmまたはμm）に対して無効である。小さな倍率は原因がレンズの長い焦点距離にあり、レンズの体積が大きいので、携帯に不便である
【０００５】
3.普通、イメージングシステムは照明が必要であるので、従来の携帯電話の外部レンズに別途にLED照明ユニットを搭載するが、レンズのLEDに電力が必要であり、耐久性の課題がある一方、別途に照明及び給電ユニットを添加すると、レンズの体積が大きくなり、第2の課題を重大化する。
【発明の概要】
【発明が解決しようとする課題】
【０００６】
従来の技術にある上記の欠陥又は改善の需要の少なくともいずれかに応じるために、本発明は構成のデザインの最適化により、コンパクト、軽量、便利、使いやすくなり、イメージングの品質が高く、倍率が大きく、携帯電話などの携帯形電子イメージング機器の強化イメージングモジュールとして特に適切である携帯形イメージングモジュールを提供する。
【課題を解決するための手段】
【０００７】
上記の目的に達成するために、本発明の一態様によれば、着脱可能にカメラ及びイルミネーターがある携帯形イメージング機器に接続される携帯形イメージングモジュールを提供する。携帯形イメージングモジュールはレンズ及びレンズ本体を含み、前記レンズは少なくとも部分的に前記レンズ本体の取付穴に取り付けられる。
【０００８】
前記レンズがレンズ及びレンズパッケージを含み、前記レンズが対面で前記携帯形イメージング機器のカメラに取り付けられる。
【０００９】
前記レンズ本体が透明又は半透明の固体材料製であり、その端部構造に反射端があり、この反射端が前記携帯形イメージング機器の取付面に投影した投影ゾーンが少なくとも部分的に前記イルミネーターを覆う。
【００１０】
望ましくは、前記反射端の構造が取付面と傾斜する傾斜面又は曲面である。
【００１１】
望ましくは、前記反射端が前記携帯形イメージング機器の取付面に投影した投影ゾーンが縦のバーの形状である。
【００１２】
望ましくは、前記反射端が前記携帯形イメージング機器の取付面に投影した投影ゾーンが傾斜したバーの形状である。
【００１３】
望ましくは、前記レンズ本体の両端にそれぞれ前記反射端があり、前記反射端の2箇所が前記レンズの両側にあり、前記レンズまでの距離が違う。
【００１４】
望ましくは、反射端の2箇所が前記携帯形イメージング機器の取付面に投影した傾斜したバーの形状の投影ゾーンの2箇所が全体で八字を呈する。
【００１５】
望ましくは、前記反射端が前記携帯形イメージング機器の取付面に投影した投影ゾーンが曲がったバーである。
【００１６】
望ましくは、前記反射端が前記携帯形イメージング機器の取付面に投影した投影ゾーンが水平のバーであり、その延長線が前記レンズを経る。
【００１７】
望ましくは、前記レンズ本体は伸縮できる2つの部分を含み、前記レンズ及び前記反射端がそれぞれ前記2つの部分にある。
【００１８】
望ましくは、前記レンズ本体は少なくとも前記反射端を含むゾーンに強化鏡面反射層又は強化拡散反射層があり、他のゾーンの少なくとも部分に強化鏡面反射層又は強化拡散反射層がある。
【００１９】
上記の望ましい技術特徴は互いに矛盾しなければ互いに結び合うことができる。
【発明の効果】
【００２０】
全体的に言えば、本発明による上記の技術的な解決策は、従来の技術と比べてみると、下記の有利な効果がある。
【００２１】
1.本発明では、自身の独立した光源が不要であり、構造レンズ本体の導光キャビティ、特に導光反射端により反射、屈折及び散乱で携帯形イメージング機器の光源がレンズのアクセサリーに照明光を形成するようにし、照明上の需要を満たす上、イメージングモジュールをコンパクトにし、携帯性を達成する。
【００２２】
2.イメージングモジュールはコンパクトにされたので、レンズは焦点距離が小さく、倍率が更に大きくなり、微視的イメージングに用いられることができる。
【００２３】
3.レンズ本体及び反射端の様々な形状の構造により距離及び位置の適応性に対する異なる形式及び仕様の携帯形イメージング機器のレンズ及びイルミネーターの需要を満たし、汎用性及び適応性を向上させると同時に、イルミネーターが毎度に一番多く第一照明光をレンズ本体に入力し、一番多く第二照明光を出力することができるようにしてイメージングの品質を向上させるようにすることができる。
【図面の簡単な説明】
【００２４】
【図１】本発明の構成図。
【図２】図1におけるA-A線に沿う断面図。
【図３】携帯形イメージング機器での本発明の利用図。
【図４】図3におけるB-B線に沿う断面図。
【図５】本発明のレンズ本体の導光図。
【図６】本発明のレンズ本体形状の一実施例。
【図７】図6の実施例の調節図。
【図８】本発明のレンズ本体形状の他の実施例。
【図９】本発明のレンズ本体形状の他の実施例。
【図１０】本発明のレンズ本体形状の他の実施例。
【図１１】本発明のレンズ本体形状の他の実施例。
【図１２】本発明の反射端の3種の形式。
【発明を実施するための形態】
【００２５】
本発明の目的、技術的な解決策及び長所が更にはっきりと理解されるために、次に図及び実施例と結び合わせて本発明についてより詳細に説明する。言うまでもなく、ここに記載の具体的な実施例は本発明を解釈するためのものだけであり、本発明を限定するためのものではない。なお、次に説明する本発明の各実施手段に関わる技術特徴は矛盾しなければ互いに結び合うことができる。次に、発明の実施の形態と結び合わせて本発明について更に詳細に説明する。
【００２６】
図1-12に示すとおりに、本発明は着脱可能に携帯形イメージング機器3に接続する携帯形イメージングモジュールを提供する。例えば、この携帯形イメージング機器3は携帯電話及びタブレットなどであり、カメラ31及びイルミネーター32があり、イルミネーター32がフラッシュ灯やフィルライトなどである。この携帯形イメージングモジュールはレンズ1及びレンズ本体2を含み、前記レンズ1が少なくとも部分的に前記レンズ本体2の取付穴21（スルーホール、ザグリ孔、ねじ穴又は他の異形穴）に取り付けられる。
【００２７】
図1-4に示すとおりに、前記レンズ1はレンズ11及びレンズパッケージ12を含む。レンズ1におけるレンズ11は球面レンズ又は非球面レンズからなり、シングルレンズでもレンズの複数からなるレンズグループでもよい。望ましくは、レンズ1は非球面レンズを含み、レンズの複数からレンズグループを構成する。前記レンズパッケージ12はレンズ1に機械のパッケージ構成を提供する。前記レンズ1は対面で前記携帯形イメージング機器3のカメラ31に取り付けられる。図4に示すとおりに、本発明の携帯形イメージングモジュールは取付面で携帯形イメージング機器3の裏に張り合う。
【００２８】
図3-5に示すとおりに、前記レンズ本体2は透明又は半透明の固体材料製であり、右端部構造に反射端22があり、この反射端22が前記携帯形イメージング機器3の取付面に投影した投影ゾーンが少なくとも部分的に前記イルミネーター32を覆う。レンズ本体2は同時に機械的構成及びライトガイドとして作用する。レンズ本体2のライトガイド機能とは携帯形イメージング機器3のイルミネーター32（フラッシュ灯など）が出した光をレンズ1がイメージングする物に導くことを指す。
【００２９】
前記反射端22は構造が取付面と傾斜する傾斜面（図12a-b）又は曲面（図12c）である。前記反射端22は望ましくは傾斜面であり、取付面との角が45°である。
【００３０】
本発明は反射端に対して複数の実施手段を設計したが、一実施例として、前記反射端22が前記携帯形イメージング機器3の取付面に投影した投影ゾーンが縦のバーの形状である（図1-5参照）。
【００３１】
取り扱う場合、本発明によるイメージングモジュールをしっかりと携帯形イメージング機器3の本体に貼り合わせ、本発明によるレンズ1を携帯形イメージング機器3のレンズ31ときちんと合わせると同時に、本発明の反射端の傾斜面がイルミネーター32を覆うようにする。図5に示すとおりに、イルミネーター32が出した第一照明光33がレンズ本体2を透過して反射端22に反射される。レンズ本体2が透明又は半透明の材料製であり、内部がキャビティに相当するので、光がその内部に広がり、その限界で反射、屈折及び散乱を行い、最終に本発明のレンズ1の近くに第二照明光34を形成する。
【００３２】
携帯形イメージング機器3のレンズ31とイルミネーター32との距離及び位置が形式及び仕様に応じるものであるから、本発明の反射端22は位置が適切に調整できる。調整する場合にレンズ1を軸にしてレンズ本体2を回し、反射端22を携帯形電子機器3のイルミネーター32ときちんと合わせるようにする。
【００３３】
なお、適応性を向上させるために、レンズ本体2は形状が調整できるので、レンズ1と反射端22の異なる位置との距離の変化量が更に大きくなる。発光端の他の実施例として、図6-7に示すとおりに、前記反射端22が前記携帯形イメージング機器3の取付面に投影した投影ゾーンは傾斜したバーの形状であり、反射端22の長さを延長できる。よって、レンズ本体2を選択すると、カメラ31とイルミネーター32との最小距離及び最大距離で調節を行って異なる携帯形イメージング機器3に適し、反射端22とイルミネーター32ときちんと合わせるようにし、汎用性及び適応性を向上させると同時に、イルミネーター32が毎度に一番多く第一照明光33をレンズ本体2に入力し、一番多く第二照明光34を出力し、イメージングの品質を向上させるようにすることができる。
【００３４】
図8に示すとおりに、発光端の他の実施例として、前記レンズ本体2の両端にそれぞれ前記反射端22があり、前記反射端221及び222の2箇所が前記レンズ1の両側にあり、前記レンズ1までの距離も違う。図7の構成と同じ理由で、各端部の反射端が調節領域を取得すると同時に、反射端とレンズとの距離を設置して調節領域の2つが勾配分布又は連続分布を行なうようにし、調節領域が更に大きくなり、汎用性、適応性及びイメージングの品質を更に向上させることができる。
【００３５】
図8では、反射端の投影ゾーンの2箇所の傾斜したバーの形状は望ましくは互いに平行するようにし、反時計回りで回転する場合、左の反射端221の最小距離から最大距離に過渡し、続いて連続して右の反射端222の最小距離（左の反射端221の最大距離より大きく或いは等しい）から最大距離まで過渡して4つのギアを構成する。それとの違いとして、図9に示すとおりに、発光端の他の実施例として、反射端の2箇所が前記携帯形イメージング機器3の取付面に投影した傾斜したバーの形状の投影ゾーンの2箇所が全体で八字を呈するので、ギアの設置を豊かにし、汎用性、適応性及びイメージングの品質を更に向上させることができる。
【００３６】
図10に示すとおりに、発光端の他の実施例として、前記反射端22が前記携帯形イメージング機器3の取付面に投影した投影ゾーンは曲がったバーであり、レンズ本体2の右の湾曲から中央に延長し、ギアが連続して絶えない調節可能な形式であり、レンズ1のできるだけ多い受光ゾーンを覆っている。
【００３７】
図11に示すとおりに、発光端の他の実施例として、前記反射端22は前記携帯形イメージング機器3の取付面に投影した投影ゾーンが水平のバーであり、その延長線が前記レンズ1を経た。水平のバーの形状の遠端及び近端がそれぞれ最大距離及び最小距離に対応し、45度の傾斜面により、反射光が更に多く直接にレンズゾーンに導かれ、汎用性、適応性及びイメージングの品質を更に向上させることができる。
【００３８】
前記レンズ本体2は伸縮できる2つの部分を含み、前記レンズ1及び前記反射端22がそれぞれ前記2つの部分にある。この伸縮構成は携帯形イメージング機器に適するために個別で利用できるし、前記反射端22の多種の形状と協力して利用できる。
【００３９】
前記レンズ本体2は少なくとも前記反射端22を含むゾーンに強化鏡面反射層又は強化拡散反射層があり、他のゾーンの少なくとも部分に強化鏡面反射層又は強化拡散反射層がある。反射フィルム、反射ストリップ又は反射ステッカーのような強化層形式は第二照明光34の強度を強化し、イメージングの品質を向上させるようにすることができる。
【００４０】
本発明では、独立した光源が不要であり、構造レンズ本体の導光キャビティ、特に導光反射端により反射、屈折及び散乱で携帯形イメージング機器の光源がレンズのアクセサリーに照明光を形成するようにし、照明上の需要を満たす上、イメージングモジュールをコンパクトにし、携帯性を達成した。イメージングモジュールはコンパクトにされたので、レンズの焦点距離が小さく、倍率が更に大きくなり、微視的イメージングに用いられることができる。レンズ本体及び反射端の様々な形状の構造により距離及び位置の適応性に対する異なる形式及び仕様の携帯形イメージング機器のレンズ及びイルミネーターの需要を満たし、汎用性及び適応性を向上させると同時に、イルミネーターが毎度に一番多く第一照明光をレンズ本体に入力し、一番多く第二照明光を出力することができるようにしてイメージングの品質を向上させるようにすることができる。 
【００４１】
本分野の技術者が容易に理解できるように、上記は本発明の望ましい実施例に過ぎず、本発明を制限するためのものではない。本発明の実質及び原則に反することなく行った全ての更改、同等の入替えまたは改善などが本発明の保護範囲に含まれる。
【符号の説明】
【００４２】
1      レンズ
2      レンズ本体
3      携帯形イメージング機器
11    レンズ
12    レンズパッケージ
21    取付穴
22    反射端
31    カメラ
32    イルミネーター
【図１】
2021530750.tif 000003
【図２】
2021530750.tif 000004
【図３】
2021530750.tif 000005
【図４】
2021530750.tif 000006
【図５】
2021530750.tif 000007
【図６】
2021530750.tif 000008
【図７】
2021530750.tif 000009
【図８】
2021530750.tif 000010
【図９】
2021530750.tif 000011
【図１０】
2021530750.tif 000012
【図１１】
2021530750.tif 000013
【図１２ａ】
2021530750.tif 000014
【図１２ｂ】
2021530750.tif 000015
【図１２ｃ】
2021530750.tif 000016
【国際調査報告】
2021530750.tif 000017
2021530750.tif 000018
2021530750.tif 000019
2021530750.tif 000020